(57)【要約】【課題】移動端末の位置に対して判別対象体が所定の条件を満たす位置に存在しているか否かを判別するための監視対象領域を容易に設定し得る監視対象領域設定方法を提供する。【解決手段】携帯電話１Ａの位置Ｐ１に対して携帯電話１が所定の条件を満たす位置に存在しているか否かを判別するための領域Ａを携帯電話１Ａの位置Ｐ１を中心として設定する。これにより、一回の領域設定処理を行うだけで、携帯電話１Ａと共に移動する領域Ａを対象とする監視処理を実行させることができる。したがって、例えば携帯電話１Ａのユーザが販売場所を移動する都度、監視対象領域を再設定する設定方法とは異なり、設定処理を実行するオペレータ（一例として、携帯電話１Ａのユーザ）の負担を軽減することができる。【選択図】図６
2005175602.tif 000002
【特許請求の範囲】
【請求項１】
第１移動端末の位置に対して判別対象体が所定の条件を満たす位置に存在しているか否かを判別するための監視対象領域を当該第１移動端末の位置を中心として設定する監視対象領域設定方法。
【請求項２】
第１移動端末の位置を中心として監視対象領域を設定し、前記第１移動端末の現在位置を取得して当該取得した現在位置を中心とする前記監視対象領域に対して判別対象体が所定の条件を満たす位置に存在しているか否かを判別する監視方法。
【請求項３】
前記判別対象体としての第２移動端末の現在位置を取得して当該取得した現在位置が前記監視対象領域に対して前記所定の条件を満たす位置か否かを判別する請求項２記載の監視方法。
【請求項４】
前記第２移動端末の位置を中心として判別対象領域を設定し、前記両移動端末の現在位置をそれぞれ取得して当該取得した現在位置を中心とする前記判別対象領域の少なくとも一部が当該取得した現在位置を中心とする前記監視対象領域に属しているか否かを判別し、属しているときに前記第２移動端末が当該監視対象領域に対して前記所定の条件を満たす位置に存在していると判別する請求項３記載の監視方法。
【請求項５】
前記判別対象体が前記所定の条件を満たす位置に存在していると判別したとき、および前記判別対象体が前記所定の条件を満たす位置に存在しなくなったと判別したときの少なくとも一方において、前記第１移動端末および前記判別対象体の少なくとも一方に対して所定の情報を出力する請求項２から４のいずれかに記載の監視方法。
【請求項６】
第１移動端末の位置を中心として設定された監視対象領域についての第１領域データを記憶する記憶装置と、前記第１移動端末の現在位置についての第１位置データを取得する位置データ取得装置と、前記第１位置データと前記第１領域データとに基づいて前記監視対象領域に対して判別対象体が所定の条件を満たす位置に存在しているか否かを判別する判別装置とを備えている監視システム。
【請求項７】
前記位置データ取得装置は、前記判別対象体としての第２移動端末の現在位置についての第２位置データを取得し、
前記判別装置は、前記第１領域データと前記両位置データとに基づいて前記第２移動端末の現在位置が前記監視対象領域に対して前記所定の条件を満たす位置か否かを判別する請求項６記載の監視システム。
【請求項８】
前記記憶装置は、前記第２移動端末の位置を中心として設定された判別対象領域についての第２領域データを記憶し、
前記判別装置は、前記両位置データおよび前記両領域データに基づいて前記第２移動端末の現在位置を中心とする前記判別対象領域の少なくとも一部が前記第１移動端末の現在位置を中心とする前記監視対象領域に属しているか否かを判別し、属しているときに前記第２移動端末が当該監視対象領域に対して前記所定の条件を満たす位置に存在していると判別する請求項７記載の監視システム。
【請求項９】
前記判別対象体が前記所定の条件を満たす位置に存在していると判別されたとき、および前記判別対象体が前記所定の条件を満たす位置に存在しなくなったと判別されたときの少なくとも一方において、前記第１移動端末および前記判別対象体の少なくとも一方に対して所定の情報を出力する情報出力装置を備えている請求項６から８のいずれかに記載の監視システム。
【発明の詳細な説明】
【技術分野】
【０００１】
本発明は、判別対象体が所定の条件を満たす位置に存在しているか否かを判別するための監視対象領域を設定する監視対象領域設定方法と、監視対象領域に対して判別対象体が所定の条件を満たす位置に存在しているか否かを判別する監視方法および監視システムとに関するものである。
【背景技術】
【０００２】
この種の監視対象領域設定方法に従って監視対象領域を設定する監視システムとして、携帯電話やＰＨＳ等の移動端末１０に広告等のメッセージ情報（以下、「広告情報」ともいう）を配信する情報配信システム１００が、特開２００２−９９８１６号公報に開示されている。この情報配信システム１００では、同公報の図７に示すように、まず、広告事業者が広告情報を配信するゾーン（監視対象領域：同公報の図９参照）について広告事業者用端末２０を用いて登録する。また、広告事業者は、登録したゾーン内の移動端末１０（判別対象体）に対して配信する広告情報についてのデータを登録する。この際に、登録された（設定された）ゾーンについてのデータ（一例として「○○駅を中心とする半径１ｋｍの範囲内」とのデータ）および広告情報についてのデータがサーバ３０に記憶される。一方、広告情報の配信を希望するユーザは、移動端末１０を用いて配信希望登録を行う。この際に、どのユーザが（どの移動端末１０が）、どのような情報の配信を希望しているかを特定するデータがサーバ３０に記憶される。これらの登録処理が完了した状態では、サーバ３０が例えば３０分毎に移動端末１０の現在位置についての情報を取得して、移動端末１０がゾーン内に属している（所定の条件を満たす位置に存在している）と判別したとき（この例では、○○駅を中心とする半径１ｋｍの範囲内に位置しているとき）に、登録されている広告情報を移動端末１０に対して配信する。これにより、ゾーン内の移動端末１０における表示部に、例えば「ＸＸラーメン店  本日全品半額サービス」とのメッセージが表示される。
【特許文献１】特開２００２−９９８１６号公報
【発明の開示】
【発明が解決しようとする課題】
【０００３】
ところが、従来の情報配信システム１００には、以下の問題点がある。すなわち、従来の情報配信システム１００では、広告情報を配信すべき領域（ゾーン）について、例えば「○○駅を中心とする半径１ｋｍの範囲内」のように登録しておき、この領域内に携帯電話等の移動端末１０が位置しているときに、その移動端末１０に対して広告情報を配信している。したがって、○○駅の近傍に位置する移動端末１０のユーザに対して、○○駅近傍に店舗を構えているＸＸラーメン店についての広告情報を配信することができる。しかし、固定的な店舗を構えることなく、例えば自動車を用いて物品を移動販売している移動販売者が移動端末１０のユーザに対して上記のような広告情報を配信しようとする場合、移動販売者は、販売場所を移動する都度、移動先を中心とする新たな領域を設定する必要がある。このため、従来の情報配信システム１００には、対象の領域（監視対象領域）が移動するような状況において、その領域の設定（登録）処理が非常に煩雑であるという問題点が存在する。
【０００４】
本発明は、かかる問題点に鑑みてなされたものであり、移動端末の位置に対して判別対象体が所定の条件を満たす位置に存在しているか否かを判別するための監視対象領域を容易に設定し得る監視対象領域設定方法と、煩雑な領域設定処理を行うことなく、判別対象体が監視対象領域に対して所定の条件を満たす位置に存在しているかを判別し得る監視方法および監視システムを提供することを主目的とする。
【課題を解決するための手段】
【０００５】
上記目的を達成すべく本発明に係る監視対象領域設定方法は、第１移動端末の位置に対して判別対象体が所定の条件を満たす位置に存在しているか否かを判別するための監視対象領域を当該第１移動端末の位置を中心として設定する。
【０００６】
この監視対象領域設定方法では、第１移動端末の位置を中心として監視対象領域を設定する。したがって、一回の領域設定処理を行うだけで、第１移動端末と共に移動する監視対象領域を対象とする監視処理を実行させることができる。これにより、販売場所を移動する都度、監視対象領域を再設定する設定方法とは異なり、設定処理を実行するオペレータ（一例として、第１移動端末のユーザ）の負担を軽減することができる。
【０００７】
また、本発明に係る監視方法は、第１移動端末の位置を中心として監視対象領域を設定し、前記第１移動端末の現在位置を取得して当該取得した現在位置を中心とする前記監視対象領域に対して判別対象体が所定の条件を満たす位置に存在しているか否かを判別する。
【０００８】
また、本発明に係る監視システムは、第１移動端末の位置を中心として設定された監視対象領域についての第１領域データを記憶する記憶装置と、前記第１移動端末の現在位置についての第１位置データを取得する位置データ取得装置と、前記第１位置データと前記第１領域データとに基づいて前記監視対象領域に対して判別対象体が所定の条件を満たす位置に存在しているか否かを判別する判別装置とを備えている。
【０００９】
この監視方法および監視システムでは、第１移動端末の位置を中心として設定された監視対象領域に対して第２移動端末が所定の条件を満たす位置に存在しているか否かを判別する。したがって、例えば、第１移動端末のユーザである移動販売者等に対して、販売場所を移動する都度の監視対象領域についての煩雑な再設定を行わせることなく、第２移動端末が監視対象領域に対して所定の条件を満たす位置に存在しているか否かを判別することができる。
【００１０】
また、本発明に係る監視方法は、上記の監視方法において、前記判別対象体としての第２移動端末の現在位置を取得して当該取得した現在位置が前記監視対象領域に対して前記所定の条件を満たす位置か否かを判別する。
【００１１】
また、本発明に係る監視システムは、上記の監視システムにおいて、前記位置データ取得装置は、前記判別対象体としての第２移動端末の現在位置についての第２位置データを取得し、前記判別装置は、前記第１領域データと前記両位置データとに基づいて前記第２移動端末の現在位置が前記監視対象領域に対して前記所定の条件を満たす位置か否かを判別する。
【００１２】
この監視方法および監視システムでは、第２移動端末の現在位置を取得して取得した現在位置が監視対象領域に対して所定の条件を満たす位置か否かを判別する。したがって、例えば第１移動端末が移動せずに第２移動端末が移動しているときや、第１移動端末および第２移動端末の双方が移動しているときであったとしても、第２移動端末が監視対象領域に対して所定の条件を満たす位置に存在しているか否かを判別することができる。
【００１３】
また、本発明に係る監視方法は、上記の監視方法において、前記第２移動端末の位置を中心として判別対象領域を設定し、前記両移動端末の現在位置をそれぞれ取得して当該取得した現在位置を中心とする前記判別対象領域の少なくとも一部が当該取得した現在位置を中心とする前記監視対象領域に属しているか否かを判別し、属しているときに前記第２移動端末が当該監視対象領域に対して前記所定の条件を満たす位置に存在していると判別する。
【００１４】
また、本発明に係る監視システムは、上記の監視システムにおいて、前記記憶装置は、前記第２移動端末の位置を中心として設定された判別対象領域についての第２領域データを記憶し、前記判別装置は、前記両位置データおよび前記両領域データに基づいて前記第２移動端末の現在位置を中心とする前記判別対象領域の少なくとも一部が前記第１移動端末の現在位置を中心とする前記監視対象領域に属しているか否かを判別し、属しているときに前記第２移動端末が当該監視対象領域に対して前記所定の条件を満たす位置に存在していると判別する。
【００１５】
この監視方法および監視システムでは、第２移動端末の位置を中心として設定した判別対象領域の少なくとも一部が第１移動端末の位置を中心として設定した監視対象領域に属しているか否かを判別する。したがって、例えば第１移動端末のユーザである移動販売者等に対して、販売場所を移動する都度の監視対象領域についての煩雑な再設定を行わせることなく、第２移動端末が監視対象領域の近傍に位置しているか否かを判別することができる。
【００１６】
また、本発明に係る監視方法は、上記の監視方法において、前記判別対象体が前記所定の条件を満たす位置に存在していると判別したとき、および前記判別対象体が前記所定の条件を満たす位置に存在しなくなったと判別したときの少なくとも一方において、前記第１移動端末および前記判別対象体の少なくとも一方に対して所定の情報を出力する。
【００１７】
また、本発明に係る監視システムは、上記の監視システムにおいて、前記判別対象体が前記所定の条件を満たす位置に存在していると判別されたとき、および前記判別対象体が前記所定の条件を満たす位置に存在しなくなったと判別されたときの少なくとも一方において、前記第１移動端末および前記判別対象体の少なくとも一方に対して所定の情報を出力する情報出力装置を備えている。
【００１８】
この監視方法および監視システムでは、判別対象体が所定の条件を満たす位置に存在しているとき、および判別対象体が所定の条件を満たす位置に存在しなくなったときに第１移動端末および判別対象体の少なくとも一方に対して所定の情報を出力する。したがって、例えば、移動販売者が近傍に存在する旨の情報などを第２移動端末（判別対象体）のユーザに報知することができると共に、第１移動端末のユーザ（移動販売者等）に対して、自らの近傍に存在する情報配信希望者の数（監視対象領域内の第２移動端末の数等）を報知することができる。
【発明を実施するための最良の形態】
【００１９】
以下、添付図面を参照して、本発明に係る監視対象領域設定方法、監視方法および監視システムの最良の形態について説明する。
【００２０】
図１に示す情報配信システム１０は、本発明に係る監視システムの一例であって、本発明に係る監視対象領域設定方法に従って設定された監視対象領域に対して判別対象体が所定の条件を満たす位置に存在しているか否かを監視する。具体的には、この情報配信システム１０は、複数の携帯電話１，１・・，１Ａ，１Ａ・・、複数の無線基地局２，２・・、管理センター設備３および情報センター設備４を備えて構成されている。携帯電話１，１Ａは、図２に示すように、無線通信部１１、ＧＰＳ処理部１２、操作部１３、表示部１４、記憶部１５および制御部１６を備えている。なお、携帯電話１，１Ａは、その構成および機能等が同等であるが、本明細書では、携帯電話１Ａを移動販売者が所有する機器（本発明における第１移動端末の一例）とし、携帯電話１を情報配信希望者が所有する機器（本発明における判別対象体としての第２移動端末の一例）として、以下に説明する。
【００２１】
無線通信部１１は、制御部１６の制御に従って無線基地局２との間で各種のデータ（信号Ｓ）を送受信する。ＧＰＳ処理部１２は、図示しないＧＰＳ衛星から送信されたＧＰＳ信号Ｓｇを受信して、携帯電話１，１Ａの現在位置を測位する。なお、ＧＰＳ信号Ｓｇに基づく現在位置の測位原理については公知のため、その説明を省略する。操作部１３には、携帯電話１，１Ａによる通話時に電話番号等を入力操作するための操作ボタンや、各種情報の配信登録処理時に配信条件等を入力操作するための操作ボタンなどの各種の操作ボタンが配列されている。表示部１４は、制御部１６の制御下で通話先の電話番号や管理センター設備３から送信されたメッセージデータＤｍに基づくメッセージなどを表示する。記憶部１５は、制御部１６の動作プログラムなどを記憶する。制御部１６は、通話時に無線通信部１１等を制御して音声データを送受信させる。また、制御部１６は、無線通信部１１によって受信された電波（無線基地局２から送信された電波）の電界強度に基づいて、携帯電話１，１Ａと無線基地局２との間の距離を演算し、その演算結果に基づいて携帯電話１，１Ａの現在位置を測位して位置データＤｐを生成する。
【００２２】
無線基地局２は、情報配信システム１０の利用可能エリア内に設置されて複数の携帯電話１，１・・１Ａ，１Ａ・・との間で無線通信する設備であって、図３に示すように、無線通信部２１、通信モデム２２、記憶装置２３および制御装置２４を備えている。無線通信部２１は、制御装置２４の制御下で、携帯電話１，１・・１Ａ，１Ａ・・との間で位置データＤｐおよびメッセージデータＤｍなどの各種のデータ（信号Ｓ）を送受信する。通信モデム２２は、ネットワークＮを介して管理センター設備３との間で位置データＤｐおよびメッセージデータＤｍなどの各種のデータを送受信する。記憶装置２３は、制御装置２４の動作プログラムなどを記憶する。制御装置２４は、無線通信部２１および通信モデム２２の動作を制御すると共に記憶装置２３に対する記憶処理を実行する。
【００２３】
管理センター設備３は、情報配信システム１０を総括的に管理する設備であって、本発明における位置データ取得装置、判別装置および情報出力装置に相当し、図４に示すように、通信モデム３１、記憶装置３２、操作部３３、表示部３４および制御装置３５を備えている。通信モデム３１は、ネットワークＮを介して無線基地局２および情報センター設備４との間で各種のデータを送受信する。この場合、後述するように、通信モデム３１が制御装置３５の制御に従って携帯電話１，１Ａから無線基地局２を介して位置データＤｐを受信する際に、管理センター設備３が本発明における位置データ取得装置として機能する。記憶装置３２は、情報配信希望者（以下、「携帯電話１のユーザ」ともいう）が所有する携帯電話１の電話番号（または、ＩＤ番号等）と、ユーザが配信を希望する情報の属する分野とを特定可能な配信リストデータＤｌを記憶する。また、記憶装置３２は、後述する情報配信処理５０（図７参照）の処理結果（判別結果）についての判別履歴データＤｈを記憶する。操作部３３は、一例として、キーボードおよびマウスを備えて構成されて、各装置の動作条件等を入力操作可能に構成されている。表示部３４は、携帯電話１，１・・１Ａ，１Ａ・・の現在位置を示す地図などを表示する。制御装置３５は、通信モデム３１および表示部３４の動作を制御すると共に記憶装置３２に対する記憶処理および後述する情報配信処理５０を実行する。
【００２４】
情報センター設備４は、本発明における記憶装置に相当し、図５に示すように、通信モデム４１、記憶装置４２および制御装置４３を備えている。通信モデム４１は、ネットワークＮを介して管理センター設備３にメッセージデータＤｍ，Ｄｍ・・を送信すると共に、管理センター設備３から出力された領域データＤａ，Ｄａ・・（本発明における第１領域データ）を受信する。記憶装置４２は、携帯電話１Ａのユーザ（この例では、移動販売者）によって登録された領域Ａ（図６参照）についての領域データＤａや広告情報等についてのメッセージデータＤｍを記憶する。制御装置４３は、管理センター設備３から領域データＤａが送信されたときに記憶装置４２に記憶させると共に、管理センター設備３から要求信号が送信されたときに、記憶装置４２から領域データＤａやメッセージデータＤｍを読み出して管理センター設備３に送信する。
【００２５】
この情報配信システム１０では、移動販売者が、例えば自己の所有する携帯電話１Ａの位置を中心とする領域Ａ（本発明における監視対象領域）と、領域Ａ内に属する（領域Ａ内に存在している：本発明における所定の条件を満たす位置に存在している状態の一例）携帯電話１，１・・に配信するメッセージとを予め登録する。具体的には、移動販売者は、例えば、携帯電話１Ａの操作部１３を操作して管理センター設備３に接続して、携帯電話１Ａの位置を中心として半径Ｒが１ｋｍの領域Ａ内に属する携帯電話１，１・・のうちの、食料品についての情報配信を希望しているユーザの所有する携帯電話１，１・・に所定のメッセージを配信する旨を登録する。この場合、移動販売者は、例えばパーソナルコンピュータ（図示せず）を用いて管理センター設備３に接続して、自己の所有する携帯電話１Ａの電話番号と、領域Ａを特定するための情報（半径Ｒ＝１ｋｍ）と、携帯電話１に配信するメッセージとを登録することもできる。この際に、管理センター設備３では、制御装置３５が、携帯電話１Ａまたはパーソナルコンピュータから送信された情報に基づいて、携帯電話１Ａに対して登録依頼された領域Ａについての領域データＤａと、携帯電話１に配信するメッセージについてのメッセージデータＤｍとを例えば携帯電話１Ａの電話番号に関連付けて生成する。また、制御装置３５は、生成した領域データＤａおよびメッセージデータＤｍを情報センター設備４に送信する。これに応じて、情報センター設備４では、制御装置４３が、通信モデム４１を介して受信した領域データＤａおよびメッセージデータＤｍを記憶装置４２に記憶させる。
【００２６】
一方、食料品についての情報配信を希望する携帯電話１のユーザは、携帯電話１またはパーソナルコンピュータを用いて管理センター設備３に接続して、自己の所有する携帯電話１の近傍に食料品の販売者（この場合、店舗を構えて販売する販売者、および上記の移動販売者の双方が含まれる）が存在するときに、販売者によって登録されているメッセージの配信を希望する旨を登録する。この際に、管理センター設備３では、制御装置３５が、どの携帯電話１に対してどの分野（この例では「食料品」）のメッセージを配信するかを特定可能な情報を生成して、記憶装置３２内の配信リストデータＤｌに追記（または更新）する。
【００２７】
上記の登録処理（移動販売者による登録処理、および情報配信希望者による登録処理）が完了した状態では、管理センター設備３の制御装置３５によって図７に示す情報配信処理５０が開始される。この情報配信処理５０では、上記の登録処理によって領域Ａを登録した携帯電話１Ａ毎に、予め規定されたタイミング（広告情報を配信するタイミング：一例として、１０分毎）が到来したか否かを監視する（ステップ５１）。この際に、制御装置３５は、所定の携帯電話１Ａについて規定されたタイミングが到来したと判別したときに、その携帯電話１Ａに対してネットワークＮおよび無線基地局２を介して位置データＤｐの送信を要求して、携帯電話１Ａから送信される位置データＤｐを取得する（ステップ５２）。
【００２８】
一方、携帯電話１Ａでは、制御装置３５から位置データＤｐの送信を要求された際に、制御部１６が、無線基地局２に対して現在位置測位用の信号Ｓの送信を要求し、これに応じて無線基地局２から送信された信号Ｓを無線通信部１１に受信させる。この際に、無線通信部１１が受信した信号Ｓの電界強度を測定して制御部１６に出力し、制御部１６が、出力された電界強度に基づいて無線基地局２と携帯電話１Ａとの間の距離を演算する。制御部１６は、この距離の演算処理を他の無線基地局２に対しても実行することにより、少なくとも２つ（好ましくは３つ）の無線基地局２との間の各距離を演算する。次に、制御部１６は、演算した各距離に基づいて、例えば三角測位法によって携帯電話１Ａの現在位置を演算して位置データＤｐ（本発明における第１位置データ）を生成し、生成した位置データＤｐを無線基地局２に出力する。これにより、無線基地局２からネットワークＮを介して携帯電話１Ａについての位置データＤｐが管理センター設備３に送信される。
【００２９】
一方、制御装置３５は、携帯電話１Ａについての位置データＤｐを取得し、その携帯電話１Ａに対して設定されている（関連づけられて記憶されている）領域データＤａを情報センター設備４からネットワークＮを介して読み出す（ステップ５３）。また、制御装置３５は、この情報配信システム１０の利用可能エリア内の各携帯電話１，１・・についての位置データＤｐ，Ｄｐ・・を取得する（ステップ５４）。この際に、制御装置３５は、上記の携帯電話１Ａについての位置データＤｐの取得時と同様にして、各携帯電話１に対して位置データＤｐの送信を要求する。また、各携帯電話１では、携帯電話１Ａにおける位置データＤｐの生成と同様にして、制御部１６が少なくとも２つの無線基地局２との間の各距離を演算して例えば三角測位法によって携帯電話１の現在位置を演算して位置データＤｐ（本発明における第２位置データ）を生成し、生成した位置データＤｐを無線基地局２に出力する。これにより、無線基地局２からネットワークＮを介して各携帯電話１についての位置データＤｐが管理センター設備３に送信される。
【００３０】
次に、制御装置３５は、記憶装置３２から判別履歴データＤｈを読み出す（ステップ５５）。この場合、判別履歴データＤｈには、この情報配信処理５０における前回判別処理時の判別結果（後述するステップ５６，５７，６０の判別結果：領域Ａ内にいずれの携帯電話１が存在したかを特定可能な情報）が記録されている。次いで、制御装置３５は、携帯電話１Ａについての位置データＤｐと領域データＤａとに基づいて領域Ａの範囲を演算すると共に、その演算結果と携帯電話１，１・・の位置データＤｐ，Ｄｐ・・とに基づいて、領域Ａ内に各携帯電話１が存在しているか否か（いずれかの携帯電話１が領域Ａ内に属しているか否か）を判別する（ステップ５６）。この際に、図６に示すように、例えば、携帯電話１が位置Ｐａに存在している状態において携帯電話１Ａが前回判別時の位置Ｐ３から位置Ｐ４に移動しているときには、制御装置３５は、携帯電話１が位置Ｐ４を中心とする領域Ａ内に存在しないと判別する。
【００３１】
この際に、制御装置３５は、判別履歴データＤｈに基づいて、前回の判別時に領域Ａ内に存在した携帯電話１が領域Ａ内に属さなくなったと判別して（本発明における所定の条件を満たす位置に存在しなくなった状態の一例：ステップ５７）、前回判別時に領域Ａ内に存在した携帯電話１に対して、情報センター設備４から読み出したメッセージデータＤｍを送信する（ステップ５８）。これに応じて、携帯電話１では、受信したメッセージデータＤｍに基づいて、例えば、「○○ラーメンです。またのご利用をお待ちしております。」とのメッセージ（本発明における所定の情報の一例）が表示部１４に表示される。次に、制御装置３５は、メッセージデータＤｍを送信した携帯電話１についての判別履歴データＤｈを更新して（領域Ａ内に存在しなくなった旨を記録して：ステップ５９）、ステップ５１に戻って次のタイミングが到来するまで待機する。また、制御装置３５は、ステップ５７の判別時に、前回判別時にも領域Ａ内に携帯電話１が存在していなかったと判別したとき（例えば、携帯電話１が位置Ｐｂに存在している状態で携帯電話１Ａが位置Ｐ１から位置Ｐ２に移動したとき）には、その旨を判別履歴データＤｈに上書きして（ステップ５９）、ステップ５１に戻って次のタイミングが到来するまで待機する。
【００３２】
一方、ステップ５６の判別時において、例えば、携帯電話１Ａが図６に示す位置Ｐ２に位置し、かつ携帯電話１が位置Ｐａに位置しているときには、制御装置３５は、携帯電話１が領域Ａ内に存在していると判別する（本発明における所定の条件を満たす位置に存在している状態の一例）。この際に、制御装置３５は、判別履歴データＤｈに基づいて、その携帯電話１が前回の判別時に領域Ａ内に存在していた携帯電話１であるか否かを判別し（ステップ６０）、前回判別時に領域Ａ内に存在していなかったときには、その携帯電話１に対して、情報センター設備４から読み出したメッセージデータＤｍを送信する（ステップ６１）。これに応じて、携帯電話１では、受信したメッセージデータＤｍに基づいて、例えば、「○○ラーメン移動販売  美味しいラーメンを今すぐ食べられます！！」とのメッセージと共に移動販売者の移動ルートを示す地図（この例では、メッセージおよび地図が本発明における所定の情報に相当する）が表示部１４に表示される。これにより、食料品についての情報配信が登録されて、かつ携帯電話１Ａ（移動販売者）の半径１ｋｍの領域Ａ内に存在している携帯電話１のユーザに対して、移動販売者（携帯電話１Ａのユーザ）が予め登録していた広告情報が配信される。次に、制御装置３５は、メッセージデータＤｍを送信した携帯電話１についての判別履歴データＤｈを更新して（領域Ａ内に存在している旨を記録して：ステップ５９）、ステップ５１に戻って次のタイミングが到来するまで待機する。
【００３３】
また、ステップ６０の判別時において、例えば、携帯電話１が図６に示す位置Ｐｂに存在している状態において携帯電話１Ａが前回判別時の位置Ｐ３から位置Ｐ４に移動したときには、制御装置３５は、携帯電話１が前回も領域Ａ内に存在していたと判別する。この際には、制御装置３５は、その旨を判別履歴データＤｈに上書きして（ステップ５９）、ステップ５１に戻って次のタイミングが到来するまで待機する。なお、ステップ６０において前回判別時から領域Ａ内に存在していたと判別した携帯電話１に対して、その携帯電話１の位置データＤｐと携帯電話１Ａの位置データＤｐとに基づいて携帯電話１，１Ａの距離を演算して、例えば、「○○ラーメン移動販売  あなたから１００ｍの範囲内にて商い中！」といったメッセージを表示させることもできる。
【００３４】
なお、上記の説明では、本発明についての理解を容易とするために、１台の携帯電話１を監視対象としたメッセージデータＤｍの配信処理について説明したが、実際には、１台の携帯電話１Ａに対して設定された領域Ａ内に複数の携帯電話１，１・・が属しているか否か（携帯電話１，１・・の現在位置が所定の条件を満たす位置位置か否か）が監視されて、該当する携帯電話１，１・・に対してメッセージデータＤｍがそれぞれ配信される。また、携帯電話１Ａについても複数の携帯電話１Ａ，１Ａ・・についての領域Ａ，Ａ・・を監視対象領域とする上記の情報配信処理５０が実行される。
【００３５】
このように、上記の領域Ａの設定方法によれば、携帯電話１Ａの位置を中心として領域Ａ（監視対象領域）を設定することにより、一回の領域設定処理を行うだけで、携帯電話１Ａと共に移動する領域Ａ（監視対象領域）を対象とする監視処理を実行させることができる。したがって、販売場所を移動する都度、監視対象領域を再設定する設定方法とは異なり、設定処理を実行するオペレータ（この例では、携帯電話１Ａのユーザ：移動販売者）の負担を軽減することができる。また、この情報配信システム１０による監視方法によれば、携帯電話１Ａの位置を中心として設定された領域Ａ内に携帯電話１が属しているか否かを判別することにより、携帯電話１Ａのユーザである移動販売者に対して、販売場所を移動する都度の領域Ａについての煩雑な再設定を行わせることなく、携帯電話１，１・・が領域Ａ内に属しているか否かを判別することができる。この場合、管理センター設備３が携帯電話１の位置データＤｐに基づいて携帯電話１の現在位置を特定することにより、例えば携帯電話１Ａが移動せずに携帯電話１が移動しているときや、携帯電話１，１Ａの双方が移動しているときであったとしても、携帯電話１，１・・が領域Ａ内に属しているか否かを判別することができる。また、携帯電話１が領域Ａ内に属したとき、および携帯電話１が領域Ａ内に属さなくなったときに携帯電話１，１Ａに対してメッセージデータＤｍを出力することにより、上記の例示のように、移動販売者が近傍に存在する旨の情報などを携帯電話１のユーザに報知することができると共に、携帯電話１Ａのユーザ（移動販売者）に対して、自らの近傍に存在する情報配信希望者の数（領域Ａ内の携帯電話１，１・・の数）を報知することができる。
【００３６】
なお、本発明は、上記の構成に限定されない。例えば、上記の情報配信システム１０では、領域Ａ内に属している携帯電話１に対してメッセージデータＤｍを送信しているが、例えば、情報配信処理５０において領域Ａ内に属していると判別された携帯電話１，１・・の数を管理センター設備３の制御装置３５によって計数して、食料品についての情報配信を登録しかつ領域Ａ内に存在している携帯電話１，１・・の数に関する情報（本発明における所定の情報の一例）を管理センター設備３から携帯電話１Ａに送信させる構成を採用することもできる。また、上記の情報配信システム１０では、携帯電話１Ａの位置を中心とする領域Ａ内に携帯電話１が属しているか否かを判別しているが、図８に示すように、携帯電話１Ａの位置を中心として半径Ｒ１の領域Ａ１（本発明における監視対象領域の他の一例）を設定すると共に、携帯電話１の位置を中心として半径Ｒ２の領域Ａ２（本発明における判別対象領域の一例）を設定し、領域Ａ２の一部が領域Ａ１に属しているか否かを判別してメッセージデータＤｍを出力する構成を採用することもできる。
【００３７】
具体的には、情報配信を希望する携帯電話１のユーザは、携帯電話１等を用いて管理センター設備３に接続して、自己の所有する携帯電話１の位置を中心とする領域Ａ２を登録し、領域Ａ２の一部が食料品の販売者の位置を中心とする監視対象領域（領域Ａ１）に属したときに、販売者によって登録されているメッセージの配信を希望する旨を登録する。これにより、領域Ａ２についての情報センター設備４の記憶装置４２には、携帯電話１の位置を中心として設定された領域Ａ２についての領域データ（本発明における第２領域データ）が記憶される。この状態において、携帯電話１Ａが同図に破線で示す位置Ｐ５に存在し、かつ、携帯電話１が一転鎖線で示す位置Ｐｃに存在する状態から、携帯電話１Ａ，１が位置Ｐ６，Ｐｄにそれぞれ移動することによって、携帯電話１Ａに対して設定されている領域Ａ１と、携帯電話１に対して設定されている領域Ａ２とが位置ｐｘにおいて接したときには（領域Ａ２の一部が領域Ａ１に属したとき：本発明における所定の条件を満たす位置に存在している状態の他の一例）、管理センター設備３が情報センター設備４から読み出したメッセージデータＤｍを携帯電話１Ａ，１に送信する。また、携帯電話１Ａ，１の移動に伴って、領域Ａ１，Ａ２の一致部位（重なり合っている部位）が拡がった後に、領域Ａ１，Ａ２の一致部位が存在しなくなったときには（重なり合う部位が存在しなくなったとき：本発明における所定の条件を満たす位置に存在しなくなった状態の他の一例）管理センター設備３が情報センター設備４から読み出したメッセージデータＤｍを携帯電話１Ａ，１に送信する。この構成によれば、上記の設定方法に従って設定した領域Ａを対象とする監視方法と同様にして、携帯電話１Ａのユーザである移動販売者に対して、販売場所を移動する都度の領域Ａについての煩雑な再設定を行わせることなく、携帯電話１，１・・が領域Ａの近傍に位置しているか否かを判別することができる。
【００３８】
さらに、本発明に係る判別対象体は、携帯電話１のような移動体に限定されず、例えば、所定の場所（一例として、自宅など）を判別対象体として領域Ａに属しているか否かを判別することもできる。また、上記の情報配信システム１０では、携帯電話１，１Ａが電界強度に基づいて現在位置を測位しているが、本発明はこれに限定されず、無線基地局２の制御装置２４や管理センター設備３の制御装置３５が携帯電話１の現在位置を測位する構成を採用することができる。さらに、ＰＨＳ等の各種無線通信信号に基づいて測位する監視システムや、ＧＰＳ信号Ｓｇに基づくＧＰＳ測位システムなどにも本発明を好適に適用することができる。
【図面の簡単な説明】
【００３９】
【図１】情報配信システム１０の構成を示すブロック図である。
【図２】携帯電話１，１Ａの構成を示すブロック図である。
【図３】無線基地局２の構成を示すブロック図である。
【図４】管理センター設備３の構成を示すブロック図である。
【図５】情報センター設備４の構成を示すブロック図である。
【図６】携帯電話１と携帯電話１Ａとの位置関係を示す説明図である。
【図７】情報配信処理５０のフローチャートである。
【図８】携帯電話１Ａ，１（領域Ａ１，Ａ２）の位置関係を示す説明図である。
【符号の説明】
【００４０】
１，１Ａ  携帯電話、２  無線基地局、３管理センター設備、４  情報センター設備、１０  情報配信システム、５０  情報配信処理、Ａ，Ａ１，Ａ２  領域、Ｄａ  領域データ、Ｄｍ  メッセージデータ、Ｄｐ  位置データ、Ｎ  ネットワーク、Ｐ１，Ｐ２・・  位置
【図１】
2005175602.tif 000003
【図２】
2005175602.tif 000004
【図３】
2005175602.tif 000005
【図４】
2005175602.tif 000006
【図５】
2005175602.tif 000007
【図６】
2005175602.tif 000008
【図７】
2005175602.tif 000009
【図８】
2005175602.tif 000010